(57)【要約】【課題】輸送仕向地に着いたとき、人工疑似泥砂の洗い落しに手間がかからない輸送方法および活餌の収納容器を提供する。【解決手段】通気性および通液性のある不織布製の収納袋１に活餌２を入れて密封し、活餌２を入れた収納袋１を発泡スチロール製の輸送容器１０に格納し、輸送容器１０内で収納袋１の周囲に人工疑似泥砂４を敷き詰め、輸送容器１０を複数個たばねて輸送する。輸送先で輸送容器１０から収納袋１を取り出したとき、収納袋１の外表面に付着した人工疑似泥砂４は簡単にはらい落せ、活餌には元々人工疑似泥砂４は付着してないので、活餌の使用できる状態にするのに手間がかからず、活餌を受け取った直後に使用できると言う利点がある。【選択図】図１
2017055661.tif 000002
【特許請求の範囲】
【請求項１】
通気性および通液性のある不織布製の収納袋に活餌を入れて密封し、
活餌を入れた前記収納袋を複数個収容できる輸送容器に格納し、
前記輸送容器内で前記収納袋の周囲に人工疑似泥砂を敷き詰め、
前記輸送容器を複数個たばねて輸送する
ことを特徴とする輸送方法。
【請求項２】
前記輸送容器内に、冷却材を入れて輸送する
ことを特徴とする請求項１記載の輸送方法。
【発明の詳細な説明】
【技術分野】
【０００１】
本発明は、活餌の輸送方法および活餌の収納容器に関する。
【背景技術】
【０００２】
釣用の活餌として使用されるゴカイなど各種の釣用の活餌は、国内で養殖し、養殖場から卸商へ輸送し、卸商から各釣具店へ配送している。また、中国、韓国、ベトナムなどのアジア諸国から輸入もされている。
【０００３】
活餌は新鮮度を保って輸送することが重要である。そこで、活餌を海水で洗い泥砂などの付着物を除去した後に活餌の棲息地の海浜の泥砂と人工海水を含有する人工疑似泥砂とともに活餌を収納袋その他の容器に収納し、容器に収納された活餌を輸送容器に入れて仕向地へ輸送している。
【０００４】
本発明以前、活餌と人工疑似泥砂は別れることなく、一緒に容器に収納され配送されていた。このため、養殖場や海外業者から配送容器を受け取った卸商は、まず人工疑似泥砂から活餌を取り出さなければならなかった。その際、活餌には沢山の人工疑似泥砂が付着しており、まずこれを洗い落さなければならなかった。
すなわち、小さな寸法（長さ数ｃｍ位）のゴカイなど活餌の体表面に付着した人工疑似泥砂を完全に洗い落とすことは容易ではなく、その手間は大変なものであった。という問題がある。
【先行技術文献】
【特許文献】
【０００５】
【特許文献１】特開２０００−２８７５９９号公報
【発明の概要】
【発明が解決しようとする課題】
【０００６】
本発明は上記事情に鑑み、輸送仕向地に着いたとき、人工疑似泥砂からの活餌の取り出しに手間がかからない輸送方法および活餌の収納容器を提供することを目的とする。
【課題を解決するための手段】
【０００７】
第１発明の活餌の輸送方法は、通気性および通液性のある不織布製の収納袋に活餌を入れて密封し、活餌を入れた前記収納袋を複数個収容できる輸送容器に格納し、前記輸送容器内で前記収納袋の周囲に人工疑似泥砂を敷き詰め、前記輸送容器を複数個たばねて輸送することを特徴とする。
第２発明の活餌の輸送方法は、第１発明において、前記輸送容器内に、冷却材を入れて輸送することを特徴とする。
【発明の効果】
【０００８】
第１発明によれば、輸送先で輸送容器から収納袋を取り出したとき、収納袋の外表面に付着した人工疑似泥砂は簡単にはらい落せ、活餌には元々人工疑似泥砂は付着してないので、活餌の使用できる状態にするのに手間がかからず、活餌を受け取った直後に使用できると言う利点がある。
第２発明によれば、輸送中に冷却材で活餌を冷却できるので、活餌の生存率が高くなり、長距離輸送が可能となる。
【図面の簡単な説明】
【０００９】
【図１】（Ａ）は輸送容器の断面図、（Ｂ）は複数の輸送容器を積み重ねた状態の外観図である。
【図２】（Ａ）は収納袋の説明図、（Ｂ）は活餌を入れて密封した状態の収納袋の外観図である。
【図３】輸送容器の斜視図である。
【発明を実施するための形態】
【００１０】
つぎに、本発明の実施形態を図面に基づき説明する。
本発明が適用される活餌は、代表的にはゴカイ（環形動物門多毛網に属する動物の一種）であるが、これに限らずミミズその他の釣用の活餌の輸送に適用することができる。
【００１１】
活餌は種類によって海浜の泥砂に潜り込む習性があるため、採取された活餌には海浜の泥砂などが付着している。そこで採取した活餌を海水（自然海水）で洗い、活餌に付着している泥砂などの付着物を除去しておく。
【００１２】
採取した活餌は仕向地への輸送中に、体中の排泄物などを排出するし、呼吸もさせなければならない。
そのために、本発明にしたがった収納袋と輸送容器が用いられるが、この外に人工疑似泥砂も用いられる。人工疑似泥砂の一例としては、植物セルロース繊維と海浜の泥砂の混合物から形成された、人工海水を含有する粒状の人工疑似泥砂がある。これには活性炭などの付加物を加えてもよい。海浜の泥砂（好ましくは棲息地の泥砂）と、人工海水（好ましくは棲息地の海水と同じ塩度に調整した人工海水）を含有した人口疑似泥砂は棲息地に近似した泥砂を再現するが、これに限らず、活餌の排泄物を吸収するなら、公知のどのような人工疑似泥砂を用いてもよい。
【００１３】
つぎに、本発明の輸送方法に用いられる収納袋１と輸送容器３を説明する。
図２（Ａ）に示す収納袋１は、ゴカイなどの活餌２を収納するための不織布製の袋である。通気性と通液性と熱シール性をもっていることが必須である。略四角形の２枚の布片が合わされ三辺がヒートシールされて、一辺が開放されている。あるいは１枚の長い布片を折り畳み、対向する両側辺がヒートシールされて、一辺が開放されたものが用いられる。この開口より活餌２が入れられる。活餌２を入れたあとは、開口側の辺がヒートシール等で密封される。（Ｂ）図はこの状態を示している。
【００１４】
図３は輸送容器１０を示している。図示の例では、２区画の活餌収納部１１、１１を有し、それらの間に冷媒格納部１２を設けている。
各活餌収納部１１は四角形の枡状であり、底面には無数の小突起１３が形成されている。活餌収納部１１には、図２で示した収納袋１が入れられる。図３では二袋を示しているが、一袋でもよく三袋以上でもよい。
【００１５】
各収納袋１の下や上には人工疑似泥砂４が敷き詰められる。
冷媒格納部１２には、冷却材５としての氷をビニール袋に入れ、更に新聞紙でつつんで入れておく。こうすることで活餌の収納された輸送容器１０を冷却することができる。
【００１６】
図１（Ａ）は輸送中の状態を断面視で見せている。輸送容器１０は、たとえば発砲スチロール製の軽い素材で製作される。使用時には、輸送容器１０を数段積み重ね、最上段の輸送容器１０には蓋１５をのせておく。この状態で、ロープやテープ等で束ねると、トラックや鉄道による輸送が便利となる。
【００１７】
本実施形態のメリットは以下のとおりである。
（１）輸送先で輸送容器１０から収納袋１を取り出したとき、収納袋１の外表面に付着した人工疑似泥砂４は簡単にはらい落せ、活餌２には元々人工疑似泥砂は付着してないので、活餌の使用できる状態にするのに手間がかからず、活餌を受け取った直後に使用できると言う利点がある。
（２）輸送中に冷却材５で活餌を冷却できるので、活餌２の生存率が高くなり、長距離輸送が可能となる。
【符号の説明】
【００１８】
１  収納袋
２  活餌
４  人工疑似泥砂
５  冷却材
１０  輸送容器
１１  活餌収納部
１２  冷媒格納部
【図１】
2017055661.tif 000003
【図２】
2017055661.tif 000004
【図３】
2017055661.tif 000005